(57)【要約】【課題】反力発生部材の耐久性を損なうことなく、従来よりも大きなクリック力を持たせることができるキースイッチ装置を提供する。【解決手段】キースイッチ装置１は、操作面を有するキートップ１１と、キートップを昇降させると共に互いに交差し、交差点を中心として互いに回動する一対のリンク部材２０，３０と、操作面を押下する力に対する反力を発生するラバーアクチュエータ４１と接触する平板部１５Ｘと、一対のリンク部材の一端を取り付ける脚部１６とを有し、キートップ１１と接触しないプレート１５と、ラバーアクチュエータ４１が装着されるメンブレンシート４０と、一対のリンク部材２０，３０の他端を取り付ける案内部５１を有する支持板５０とを備え、キートップ１１の一部は一対のリンク部材の交差点と他端との間に取り付けられる。【選択図】図１
2018006222.tif 000002
【特許請求の範囲】
【請求項１】
操作面を有するキートップと、
前記キートップを昇降させると共に互いに交差し、交差点を中心として互いに回動する一対のリンク部材と、
前記操作面を押下する力に対する反力を発生する反力発生部材と接触する平板部と、前記一対のリンク部材の一端を取り付ける第１取付部とを有し、前記キートップと接触しない押下部材と、
前記反力発生部材が装着されるシートと、
前記一対のリンク部材の他端を取り付ける第２取付部を有する支持板と、を備え、
前記キートップの一部は、前記一対のリンク部材の前記交差点と前記他端との間に取り付けられることを特徴とするキースイッチ装置。
【請求項２】
操作面を有するキートップと、
互いに回動可能に係合する係合部を有し、前記キートップを昇降させる一対のリンク部材と、
前記操作面を押下する力に対する反力を発生する反力発生部材と接触する平板部と、前記一対のリンク部材の一端を取り付ける第１取付部とを有し、前記キートップと接触しない押下部材と、
前記反力発生部材が装着されるシートと、
前記一対のリンク部材の他端を取り付ける第２取付部を有する支持板と、を備え、
前記キートップの一部は、前記一対のリンク部材の前記一端と前記他端との間に取り付けられることを特徴とするキースイッチ装置。
【請求項３】
前記一対のリンク部材の各々は、各リンク部材の一端と他端との間を連結する一対の連結部と、前記一対の連結部上に形成され、前記キートップの一部を取り付ける第３取付部とを備えることを特徴とする請求項１又は２に記載のキースイッチ装置。
【請求項４】
前記キートップは、前記キートップの側面又は前記操作面の裏側から下方に延伸し、前記第３取付部に取り付けられる脚部を備えていることを特徴とする請求項３に記載のキースイッチ装置。
【発明の詳細な説明】
【技術分野】
【０００１】
本発明は、キー入力に使用されるキースイッチ装置に関する。
【背景技術】
【０００２】
キートップが押下された場合に、キートップの直下に配置されたラバースプリングが変形し、ラバースプリング（ラバーアクチュエータ）の頭部の下面に設けられた可動接点部がスイッチを押下するキースイッチ装置が知られている（例えば、特許文献１参照）。
【先行技術文献】
【特許文献】
【０００３】
【特許文献１】特開２００３−１３２７５９号公報
【発明の概要】
【発明が解決しようとする課題】
【０００４】
キースイッチ装置に大きなクリック力を持たせようとする場合、ラバーアクチュエータを厚くすることが考えられる。しかし、ラバーアクチュエータを厚くすると、ラバーの破断が早くなり、ラバーアクチュエータの耐久性が悪化する。
【０００５】
本発明は、反力発生部材の耐久性を損なうことなく、従来よりも大きなクリック力を持たせることができるキースイッチ装置を提供することにある。
【課題を解決するための手段】
【０００６】
上記目的を達成するため、明細書に開示されたキースイッチ装置は、操作面を有するキートップと、前記キートップを昇降させると共に互いに交差し、交差点を中心として互いに回動する一対のリンク部材と、前記操作面を押下する力に対する反力を発生する反力発生部材と接触する平板部と、前記一対のリンク部材の一端を取り付ける第１取付部とを有し、前記キートップと接触しない押下部材と、前記反力発生部材が装着されるシートと、前記一対のリンク部材の他端を取り付ける第２取付部を有する支持板と、を備え、前記キートップの一部は、前記一対のリンク部材の前記交差点と前記他端との間に取り付けられることを特徴とする。
【０００７】
さらに、明細書に開示されたキースイッチ装置は、操作面を有するキートップと、互いに回動可能に係合する係合部を有し、前記キートップを昇降させる一対のリンク部材と、前記操作面を押下する力に対する反力を発生する反力発生部材と接触する平板部と、前記一対のリンク部材の一端を取り付ける第１取付部とを有し、前記キートップと接触しない押下部材と、前記反力発生部材が装着されるシートと、前記一対のリンク部材の他端を取り付ける第２取付部を有する支持板と、を備え、前記キートップの一部は、前記一対のリンク部材の前記一端と前記他端との間に取り付けられることを特徴とする。
【発明の効果】
【０００８】
本発明によれば、反力発生部材の耐久性を損なうことなく、従来よりも大きなクリック力を持たせることができる。
【図面の簡単な説明】
【０００９】
【図１】本実施の形態に係るキースイッチ装置の分解図である。
【図２】キースイッチ装置の側面図である。
【図３】図１のＡ−Ａ線の断面図である。
【図４】（Ａ）は、第１リンク部材の構成図である。（Ｂ）は、第２リンク部材の構成図である。
【図５】（Ａ）は、キートップが押下された場合のキースイッチ装置の断面の変遷状態を示す図である。（Ｂ）は、キートップが押下された場合のキースイッチ装置の側面の変遷状態を示す図である。
【図６】キートップが取り外されたキースイッチ装置の側面図である。
【図７】ラバーアクチュエータ及びキースイッチ装置の特性を示す図である。
【図８】（Ａ）は、ｎ／ｍ比と、キーストローク（mm）と、押下力（N）との対応関係を示す図である。（Ｂ）は、ｎ／ｍ比と、キーストローク（mm）と、押下力（N）との対応関係を示すグラフである。
【図９】キースイッチ装置の第１変形例の分解図である。
【図１０】（Ａ）は、キースイッチ装置の側面図である。（Ｂ）は、キートップが取り外されたキースイッチ装置の側面図である。
【図１１】キースイッチ装置の第２変形例の分解図である。
【図１２】（Ａ）はキースイッチ装置の側面図である。（Ｂ）はキートップが取り外されたキースイッチ装置の側面図である。
【発明を実施するための形態】
【００１０】
以下、図面を参照しながら本発明の実施の形態を説明する。
【００１１】
図１は、本実施の形態に係るキースイッチ装置の分解図である。図２は、キースイッチ装置の側面図である。図３は、図１のＡ−Ａ線の断面図である。
【００１２】
図４（Ａ）は第１リンク部材の構成図であり、図４（Ｂ）は第２リンク部材の構成図である。なお、以下では、便宜上、図１のように前後左右方向および上下方向を定義し、これに従い各部の構成を説明する。
【００１３】
図１に示すキースイッチ装置１は、キートップ１１と、ラバーアクチュエータ４１を押下する押下部材としてのプレート１５と、キートップ１１及びプレート１５を支持すると共に、互いに連動してキートップ１１及びプレート１５を鉛直方向へ昇降させる第１リンク部材２０及び第２リンク部材３０と、反力発生部材としてのラバーアクチュエータ４１が搭載され、スイッチとして機能する接点（不図示）を含むメンブレンシート４０と、平板状の支持板５０と、を備えている。
【００１４】
キートップ１１は、操作者が押し下げる操作面１１ａと、キートップ１１の左右側面又は操作面１１ａの裏側から下方に延伸する複数の脚部１２とを備えている。各脚部１２には、第１リンク部材２０の突起２５又は第２リンク部材３０の突起３５が挿入される貫通孔１３が形成されている。つまり、キートップ１１の脚部１２は、貫通孔１３を介して第１リンク部材２０の突起２５及び第２リンク部材３０の突起３５と係合する。貫通孔１３は長孔であり、第１リンク部材２０の突起２５又は第２リンク部材３０の突起３５は、貫通孔１３内で前後方向に摺動可能である（図２参照）。キートップ１１は、底面の無い箱状であり、キートップ１１の裏側には空間１０が形成されている（図３参照）。図３に示すように、プレート１５と、第１リンク部材２０及び第２リンク部材３０の一部がキートップ１１の裏側の空間１０内に収容されている。キートップ１１の操作面１１ａの裏側は、プレート１５の上面と空隙を介して対向しており、プレート１５の上面と接触しない。
【００１５】
プレート１５は、矩形の平板部１５Ｘと、平板部１５Ｘの４隅から垂下する第１取付部としての複数の脚部１６とを備えている。各脚部１６には、第１リンク部材２０の突起２１ａ又は第２リンク部材３０の突起３１ａを挿入するための貫通孔１７が形成されている。つまり、プレート１５の脚部１６は、貫通孔１７を介して第１リンク部材２０の突起２１ａ及び第２リンク部材３０の突起３１ａと係合する。貫通孔１７は長孔であり、第１リンク部材２０の突起２１ａ又は第２リンク部材３０の突起３１ａは、貫通孔１７内で前後方向に摺動可能である（図３参照）。
【００１６】
第１リンク部材２０及び第２リンク部材３０は、例えば、樹脂で構成されており、キートップ１１及びプレート１５が昇降動作の上限位置にあるときに側面視Ｘ字状に交差する。
【００１７】
第１リンク部材２０は、図４（Ａ）に示すように、左右方向に延伸する上自由端２１，下自由端２２と、前後方向に延伸すると共に上自由端２１と下自由端２２とを互いに連結する連結部としての一対の腕部２３とを備えている。各腕部２３はクランク状に形成されているので、上自由端２１の左右方向の幅は、下自由端２２の左右方向の幅よりも短い。上自由端２１の左右両端には、貫通孔１７内に挿入される突起２１ａが形成されている。下自由端２２の左右両端には、後述する貫通孔５２内に挿入される突起２２ａが形成されている。
【００１８】
一対の腕部２３上には、第２リンク部材３０と連結し、第１リンク部材２０の回動支点になる軸２４が形成されている。腕部２３上の軸２４と突起２２ａとの間には、キートップ１１の貫通孔１３内に挿入される第３取付部としての突起２５が形成されている。また、軸２４近傍の腕部２３には、第２リンク部材３０に対する第１リンク部材２０の回動を可能にするための凹部２６が形成されている。さらに、第１リンク部材２０中央の上自由端２１、下自由端２２及び一対の腕部２３とで囲まれる領域には、ラバーアクチュエータ４１を配置するための孔２７が形成されている。孔２７内に配置されるラバーアクチュエータ４１は第１リンク部材２０と接触しない。
【００１９】
第２リンク部材３０は、図４（Ｂ）に示すように、左右方向に延伸する上自由端３１，下自由端３２と、前後方向に延伸すると共に上自由端３１と下自由端３２とを互いに連結する連結部としての一対の腕部３３とを備えている。各腕部３３はクランク状に形成されているので、上自由端３１の左右方向の幅は、下自由端３２の左右方向の幅よりも短い。上自由端３１の左右両端には、貫通孔１７内に挿入される突起３１ａが形成されている。下自由端３２の左右両端には、後述する貫通孔５２内に挿入される突起３２ａが形成されている。
【００２０】
一対の腕部３３上には、第１リンク部材２０の軸２４を収容する孔３４が形成されている。一対の腕部３３上の孔３４と突起３２ａとの間には、キートップ１１の貫通孔１３内に挿入される第３取付部としての突起３５が形成されている。また、腕部３３には、第１リンク部材２０に対する第２リンク部材３０の回動を可能にするための凹部３６が形成されている。さらに、第２リンク部材３０中央の上自由端３１、下自由端３２及び一対の腕部３３とで囲まれる領域には、ラバーアクチュエータ４１を配置するための孔３７が形成されている。孔３７内に配置されるラバーアクチュエータ４１第２リンク部材３０と接触しない。
【００２１】
ラバーアクチュエータ４１は、ゴム材料から一体成型されたドーム状部材であり、リング状の基部４２、基部４２からドーム状に立ち上がるドーム部４３と、ドーム部４３から上方に延在する円筒部４４とを備えている。基部４２及びドーム部４３の内部は空間であり、基部４２及びドーム部４３は押し下げる力により弾性変形する。ラバーアクチュエータ４１は、メンブレンシート４０に接着などにより固定されている。ラバーアクチュエータ４１の円筒部４４の上面はプレート１５の裏面と接触する。円筒部４４の上面の裏側には、メンブレンシート４０内の不図示の接点を押下するための突起４５が形成されている。
【００２２】
支持板５０には、第１リンク部材２０の突起２２ａ及び第２リンク部材３０の突起３２ａを前後方向に案内する第２取付部としての案内部５１が形成されている。案内部５１と支持板５０との間には貫通孔５２が形成されており、第１リンク部材２０の突起２２ａ及び第２リンク部材３０の突起３２ａは貫通孔５２に摺動可能に挿入されている。
【００２３】
図５（Ａ）は、キートップ１１が押下された場合のキースイッチ装置１の断面の変遷状態を示す図である。図５（Ｂ）は、キートップ１１が押下された場合のキースイッチ装置１の側面の変遷状態を示す図である。
【００２４】
キートップ１１を押下すると、キートップ１１の脚部１２が係合する第１リンク部材２０の突起２５及び第２リンク部材３０の突起３５を押下するので、第１リンク部材２０及び第２リンク部材３０は軸２４を支点として回転する。これにより、第１リンク部材２０及び第２リンク部材３０が前後方向に摺動しながら押し下げられる。キートップ１１が押下されている間は、突起２１ａ、３２ａ及び３５は前方向に摺動し、突起３１ａ、２２ａ及び２５は後方向に摺動する。
【００２５】
第１リンク部材２０及び第２リンク部材３０の押し下げに伴い、第１リンク部材２０及び第２リンク部材３０に連結されたプレート１５がラバーアクチュエータ４１を押し下げる。これにより、ラバーアクチュエータ４１が挫屈変形し、突起４５がメンブレンシート４０内の不図示の接点を押下する。これにより、キー入力が実行される。
【００２６】
キートップ１１から指が離れると、変形したラバーアクチュエータ４１が元に戻り始め、プレート１５を押し上げ、プレート１５に連結された第１リンク部材２０及び第２リンク部材３０が軸２４を支点として逆回転する。これにより、突起２５及び突起３５がキートップ１１を押し上げる。尚、キートップ１１が元の位置に戻る間は、突起２１ａ、３２ａ及び３５は後方向に摺動し、突起３１ａ、２２ａ及び２５は前方向に摺動する。
【００２７】
ここで、キートップ１１が押下された場合のラバーアクチュエータ４１の反力について説明する。
【００２８】
図６は、キートップ１１が取り外されたキースイッチ装置１の側面図である。図７は、ラバーアクチュエータ４１の特性及びキースイッチ装置１の特性を示す図である。
【００２９】
図６に示すように、第１リンク部材２０が押し下げられる場合、突起２２ａが支点となり押下力が働く。従って、突起２２ａから突起２５までの距離を「ｍ」とし、突起２２ａから軸２４までの距離を「ｎ」とすると、キートップ１１の押下に必要な力は、図７に示すようにラバーアクチュエータ４１の反力のｎ／ｍ倍になる（ｎ＞ｍ）。このように、キートップ１１を突起２５及び突起３５に取り付けることにより、キートップ１１の押下に必要な力を、ラバーアクチュエータ４１単体の押下に必要な力よりも大きくすることができる。
【００３０】
なお、突起２２ａから突起２５までの距離は、突起３２ａから突起３５までの距離と同一であり、突起２２ａから軸２４までの距離は、突起３２ａから軸２４までの距離と同一であるので、突起３２ａから突起３５までの距離は「ｍ」になり、突起３２ａから軸２４までの距離は「ｎ」になる。
【００３１】
図８（Ａ）は、ｎ／ｍ比と、キーストローク（mm）と、押下力（N）との対応関係を示す図である。図８（Ｂ）は、ｎ／ｍ比と、キーストローク（mm）と、押下力（N）との対応関係を示すグラフである。図８（Ｂ）において、実線はキーストローク（mm）とｎ／ｍ比との関係を示し、点線は押下力（N）とｎ／ｍ比との関係を示す。図８（Ａ），（Ｂ）に示すように、最適なキーストローク（キーの押下量）を２〜３mmとすると、ｎ／ｍ比は１．６〜２．８になる。
【００３２】
以上説明したように、図１のキースイッチ装置１によれば、操作面１１ａを有するキートップ１１と、キートップ１１を昇降させると共に互いに交差し、交差点を中心として互いに回動する一対のリンク部材２０，３０と、ラバーアクチュエータ４１と接触する平板部１５Ｘと、一対のリンク部材２０，３０の一端を取り付ける脚部１６とを有し、キートップ１１と接触しないプレート１５と、ラバーアクチュエータ４１が装着されるメンブレンシート４０と、一対のリンク部材２０，３０の他端を取り付ける案内部５１を有する支持板５０と、を備え、キートップ１１の脚部１２は、一対のリンク部材２０，３０の交差点と他端との間に取り付けられる。これにより、キートップ１１の押下に必要な力を、ラバーアクチュエータ４１単体の押下に必要な力よりも大きくすることができる。従って、キースイッチ装置１は、ラバーアクチュエータ４１の厚みを増やすことなく、より大きなクリック力を持たせることができる。
【００３３】
図９は、キースイッチ装置の第１変形例の分解図である。図１０（Ａ）は図９のキースイッチ装置１Ａの側面図である。図１０（Ｂ）はキートップ１１が取り外されたキースイッチ装置１Ａの側面図である。図１のキースイッチ装置１の構成と同様の構成には同一の参照番号を付し、その説明を省略する。
【００３４】
図９に示すキースイッチ装置１Ａは、キートップ１１と、ラバーアクチュエータ４１を押下するプレート１５Ａと、キートップ１１及びプレート１５Ａを支持すると共に、互いに連動してキートップ１１及びプレート１５Ａを鉛直方向へ昇降させる第１リンク部材６１及び第２リンク部材７１と、ラバーアクチュエータ４１が搭載され、スイッチとして機能する接点を含むメンブレンシート４０と、平板状の支持板５０Ａと、を備えている。操作面１１ａの裏側はプレート１５Ａの上面と空隙を介して対向しており、プレート１５Ａの上面と接触しない。
【００３５】
プレート１５Ａは、矩形の平板部１５Ｘと、平板部１５Ｘの４隅に形成された第１取付部としての支持部１６ａとを備えている。支持部１６ａは、第１リンク部材６１の突起６４又は第２リンク部材７１の突起７４を前後方向に摺動可能に支持する。平板部１５Ｘの裏面は、ラバーアクチュエータ４１の円筒部４４上面と接触する。
【００３６】
第１リンク部材６１及び第２リンク部材７１は、例えば、樹脂で構成されており、キートップ１１及びプレート１５Ａが昇降動作の上限位置にあるときに側面視Ｖ字状に配置されている。
【００３７】
図９及び図１０（Ｂ）に示すように、第１リンク部材６１は、左右方向に延伸する自由端６２と、自由端６２から前後方向に延伸する連結部としての一対の腕部６３とを備えている。自由端６２の左右両端には、支持部１６ａ内で摺動する突起６４が形成されている。各腕部６３の一端は自由端６２に連結されており、各腕部６３の他端には、第２リンク部材７１と回動可能に係合する係合部６５が形成されている。各腕部６３の他端には、第１リンク部材６１の回動支点になり、第１リンク部材６１を支持板５０Ａに取り付けるための突起６６が形成されている。さらに、各腕部６３の一端と他端との間には、キートップ１１の貫通孔１３内に挿入される第３取付部としての突起６７が形成されている。
【００３８】
第２リンク部材７１は、左右方向に延伸する自由端７２と、自由端７２から前後方向に延伸する連結部としての一対の腕部７３とを備えている。自由端７２の左右両端には、支持部１６ａ内で摺動する突起７４が形成されている。各腕部７３の一端は自由端７２に連結されており、各腕部７３の他端には、第１リンク部材６１と回動可能に係合する係合部７５が形成されている。各腕部３の他端には、第２リンク部材７１の回動支点になり、第２リンク部材７１を支持板５０Ａに取り付けるための突起７６が形成されている。さらに、各腕部７３の一端と他端との間には、キートップ１１の貫通孔１３内に挿入される第３取付部としての突起７７が形成されている。
【００３９】
第１リンク部材６１及び第２リンク部材７１は上面視でコの字形状であり、第１リンク部材６１及び第２リンク部材７１とで囲まれる領域には、ラバーアクチュエータ４１が配置される孔７０が形成されている。孔７０内に配置されるラバーアクチュエータ４１は第１リンク部材６１及び第２リンク部材７１と接触しない。
【００４０】
支持板５０Ａ上には、第１リンク部材６１及び第２リンク部材７１を取り付ける第２取付部としての取付部５３が形成されている。取付部５３の近傍には、第１リンク部材６１及び第２リンク部材７１を回動させるための孔５５が形成されている。また、取付部５３には、第１リンク部材６１の突起６６及び第２リンク部材７１の突起７６を挿入する穴５４が形成されている。第１リンク部材６１及び第２リンク部材７１は、穴５４に挿入された突起６６及び突起７６を支点として回動する。
【００４１】
図１０（Ｂ）に示すように、突起６６から突起６７までの距離を「ｍ」とし、突起６６から突起６４までの距離を「ｎ」とすると、キートップ１１の押下に必要な力は、図７に示すようにラバーアクチュエータ４１の反力のｎ／ｍ倍になる（ｎ＞ｍ）。キートップ１１を突起６７及び突起７７に取り付けることにより、キートップ１１の押下に必要な力を、ラバーアクチュエータ４１単体の押下に必要な力よりも大きくすることができる。なお、突起７６から突起７７までの距離は突起６６から突起６７までの距離と同一であり、突起７６から突起７４までの距離は突起６６から突起６４までの距離と同一であるので、突起７６から突起７７までの距離は「ｍ」になり、突起７６から突起７４までの距離は「ｎ」になる。
【００４２】
以上説明したように、キースイッチ装置１Ａによれば、キートップ１１の押下に必要な力を、ラバーアクチュエータ４１単体の押下に必要な力よりも大きくすることができるため、キースイッチ装置１Ａは、ラバーアクチュエータ４１の厚みを増やすことなく、従来よりも大きなクリック力を持たせることができる。
【００４３】
図１１は、キースイッチ装置の第２変形例の分解図である。図１２（Ａ）は図１１のキースイッチ装置１Ｂの側面図である。図１２（Ｂ）は、キートップ１１が取り外された図１１のキースイッチ装置１Ｂの側面図である。図１のキースイッチ装置１の構成と同様の構成には同一の参照番号を付し、その説明を省略する。
【００４４】
図１１に示すキースイッチ装置１Ｂは、キートップ１１と、ラバーアクチュエータ４１を押下する押下部材としてのプレート１５Ｂと、キートップ１１及びプレート１５Ｂを支持し、互いに連動してキートップ１１及びプレート１５Ｂを鉛直方向へ昇降させる第１リンク部材８１及び第２リンク部材９１と、ラバーアクチュエータ４１が搭載され、スイッチとして機能する接点を含むメンブレンシート４０と、キースイッチ装置１Ｂの構造上の基礎となる平板状の支持板５０と、を備えている。キートップ１１の操作面１１ａの裏側は、プレート１５Ｂの上面と空隙を介して対向しており、プレート１５Ｂの上面と接触しない。
【００４５】
プレート１５Ｂは、矩形の平板部１５Ｘと、平板部１５Ｘの左右の端部から下方に延伸する第１取付部としての支持部１８とを備えている。支持部１８は、第１リンク部材８１の突起８６及び第２リンク部材９１の突起９６を回動可能に挿入する貫通孔１９を備えている。貫通孔１９に挿入された突起８６及び９６は、第１リンク部材８１及び第２リンク部材９１の回動の支点になる。平板部１５Ｘの裏面は、ラバーアクチュエータ４１の円筒部４４上面と接触する。
【００４６】
第１リンク部材８１及び第２リンク部材９１は、例えば、樹脂で構成されており、キートップ１１及びプレート１５Ｂが昇降動作の上限位置にあるときに側面視逆Ｖ字状に形成されている。
【００４７】
図１１及び図１２（Ａ）に示すように、第１リンク部材８１は、左右方向に延伸する自由端８２と、自由端８２から前後方向に延伸する連結部としての一対の腕部８３とを備えている。自由端８２の左右両端には、第２取付部としての案内部５１の貫通孔５２内で前後に摺動する突起８４が形成されている。各腕部８３の一端には、第２リンク部材９１と回動可能に係合する係合部８５が形成されている。各腕部８３の一端には、第１リンク部材８１の回動支点になり、プレート１５Ｂの貫通孔１９に挿入するための突起８６が形成されている。各腕部８３の他端は自由端８２に連結されている。さらに、各腕部８３の一端と他端との間には、キートップ１１の貫通孔１３内に挿入される第３取付部としての突起８７が形成されている。
【００４８】
第２リンク部材９１は、左右方向に延伸する自由端９２と、自由端９２から前後方向に延伸する連結部としての一対の腕部９３とを備えている。自由端９２の左右両端には、第２取付部としての案内部５１の貫通孔５２内で前後に摺動する突起９４が形成されている。各腕部９３の一端には、第１リンク部材８１と回動可能に係合する係合部９５が形成されている。各腕部９３の一端には、第２リンク部材９１の回動支点になり、プレート１５Ｂの貫通孔１９に挿入するための突起９６が形成されている。各腕部９３の他端は自由端９２に連結されている。さらに、各腕部９３の一端と他端との間には、キートップ１１の貫通孔１３内に挿入される第３取付部としての突起９７が形成されている。
【００４９】
第１リンク部材８１及び第２リンク部材９１は上面視でコの字形状であり、第１リンク部材８１及び第２リンク部材９１とで囲まれる領域にはラバーアクチュエータ４１が配置される孔７０が形成されている。孔７０内に配置されるラバーアクチュエータ４１は第１リンク部材８１及び第２リンク部材９１と接触しない。
【００５０】
図１２（Ｂ）に示すように、突起８６から突起８７までの距離を「ｍ」とし、突起８６から突起８４までの距離を「ｎ」とすると、キートップ１１の押下に必要な力は、図７に示すようにラバーアクチュエータ４１の反力のｎ／ｍ倍になる（ｎ＞ｍ）。このように、キートップ１１を突起８７及び突起９７に取り付けることにより、キートップ１１の押下に必要な力をラバーアクチュエータ４１単体の押下に必要な力よりも大きくすることができる。なお、突起９６から突起９７までの距離は突起８６から突起８７までの距離と同一であり、突起９６から突起９４までの距離は突起８６から突起８４までの距離と同一であるので、突起９６から突起９７までの距離は「ｍ」になり、突起９６から突起９４までの距離は「ｎ」になる。
【００５１】
以上説明したように、キースイッチ装置１Ｂによれば、キートップ１１の押下に必要な力をラバーアクチュエータ４１単体の押下に必要な力よりも大きくすることができるため、キースイッチ装置１Ｂは、ラバーアクチュエータ４１の厚みを増やすことなく、従来よりも大きなクリック力を持たせることができる。
【００５２】
尚、本発明は、上述した実施の形態に限定されるものではなく、その要旨を逸脱しない範囲内で種々変形して実施することが可能である。
【符号の説明】
【００５３】
１，１Ａ，１Ｂ  キースイッチ装置
１１  キートップ
１５，１５Ａ，１５Ｂ  プレート
２０，６１，８１  第１リンク部材
３０，７１，９１  第２リンク部材
４０  メンブレンシート
４１  ラバーアクチュエータ
５０，５０Ａ  支持板
【図１】
2018006222.tif 000003
【図２】
2018006222.tif 000004
【図３】
2018006222.tif 000005
【図４】
2018006222.tif 000006
【図５】
2018006222.tif 000007
【図６】
2018006222.tif 000008
【図７】
2018006222.tif 000009
【図８】
2018006222.tif 000010
【図９】
2018006222.tif 000011
【図１０】
2018006222.tif 000012
【図１１】
2018006222.tif 000013
【図１２】
2018006222.tif 000014